(57)【要約】【課題】本発明は、ケースごと不正交換されるような不正行為に対処し、ホール内電源が遮断された夜間であっても不正行為を監視できる遊技機の基板不正監視装置を提供する。【解決手段】遊技機を制御するＲＯＭを設けた遊技制御基板３３と遊技制御基板３３を収納し通常は開封不可能に封印した透明材料からなる基板ケース３０と基板ケースを遊技機体取付板２５に固定した基板取付構造において、機体取付板２５とケース３０との間に感知センサー５１を設けると共にセンサーに接続した送信機５０を機体取付板２５とケース３０との固定を外さなければ触れない位置に装着し、センサーがケースの移動を感知すると送信機が遊技機の外部へ送信する基板不正監視装置である。またケースの開封を不可能に封印した封印を解いても、機体取付板からケースを外さなければケースを開くことが出来ない様にした遊技機の基板ケース３０である。【選択図】    図３
2004305421.tif 000002
【特許請求の範囲】
【請求項１】
遊技機を制御するＲＯＭを設けた遊技制御基板と、該遊技制御基板を収納し通常は開封不可能に封印した透明材料からなる基板ケースと、該基板ケースを遊技機体取付板に固定した遊技機において、
前記遊技機体取付板と基板ケースとの固定を外さなければ触れない位置に、距離が変化すると感知するセンサーと該センサーに接続した送信機を設け、前記センサーが取付板とケース間の移動を感知すると前記送信機が感知信号を遊技機の外部へ送信することを特徴とする遊技機の基板不正監視装置。
【請求項２】
遊技機を制御するＲＯＭを設けた遊技制御基板と、該遊技制御基板を収納し通常は開封不可能に封印した透明材料からなる基板ケースと、該基板ケースを遊技機体取付板に固定した遊技機において、
前記基板ケースは、前記通常は開封不可能に封印した封印を解いても、遊技機体取付板から前記基板ケースを外さなければ基板ケースを開くことが出来ない様に、前記遊技機体取付板に前記基板ケースを覆う固定部材を設けて固定したことを特徴とする遊技機の基板ケース。
【請求項３】
遊技機を制御するＲＯＭを設けた遊技制御基板と、該遊技制御基板を収納し通常は開封不可能に封印した透明材料からなる基板ケースと、該基板ケースを遊技機体取付板に固定した遊技機において、
前記基板ケースは、前記遊技制御基板を収納する内ケースと外ケースとからなり、収納した基板と内ケースを覆って外ケースが前記遊技機体取付板に固定されていることを特徴とする遊技機の基板ケース。
【請求項４】
遊技機を制御するＲＯＭを設けた遊技制御基板と、該遊技制御基板を収納し通常は開封不可能に封印した透明材料からなる基板ケースと、該基板ケースを遊技機体取付板に固定した遊技機において、
前記基板ケースは、前記遊技制御基板を収納する内ケースと外ケースとからなり、前記基板ケースに係止し前記基板ケースの封印部を覆い前記遊技機体取付板に係止する固定片を用いて固定されていることを特徴とする遊技機の基板ケース。
【請求項５】
前記送信機は、遊技機の遊技情報信号と接続し、前記感知信号と共に遊技情報信号を外部へ送信することを特徴とする請求項１乃至４記載の遊技機の基板不正監視装置。
【請求項６】
前記送信機は、夜間の遊技場電源遮断中は昼間充電された送信機の電池で送信することを特徴とする請求項１乃至５記載の遊技機の基板不正監視装置。
【請求項７】
前記送信機は、ＰＨＳ公共通信回線によって送信することを特徴とする請求項１乃至６記載の遊技機の基板不正監視装置。
【発明の詳細な説明】
【０００１】
【発明の属する技術分野】
本発明は遊技機、例えばパチンコ機等の遊技を制御する遊技制御基板のセキュリティー監視並びに遊技状況監視機構に関する。
【０００２】
【従来の技術】
例えばパチンコ機は風俗営業法の遊技規則でその遊技内容が規制されている。遊技機は前もって公安委員会の指定機関で検査を受け、検定に合格した遊技機が遊技ホールで設置可能となり、更に遊技場ホールに設置されたパチンコ機は公安委員会の設置基準に合致しているか、遊技制御基板を収容するケースの封印カシメ及び封印シールに異常がないか等、所轄警察署の検査に合格しなければ遊技場ホールでの営業が行えないシステムになっている。
ところで近年パチンコ機の電子化、図柄表現が大きく進歩し、ゲームの興趣が飛躍的に向上したが、一方で電子化に伴う不正行為も増え、遊技場ホールやホール経営者が多大の損害を蒙る例も見られる。悪質な不正行為の中には出玉が多く発生する裏ロムを用いるものがあり、夜間のホール電源遮断時に、パチンコ機遊技制御基板に設けられる正規ロムを裏ロムと不正に交換し、営業時間中に出玉を増やすものである。
【０００３】
この不正予防策として、パチンコ機の遊技制御ＲＯＭが装着されている遊技制御基板を、外部から視認容易な透明材料で形成した封印ケースに収納し、パチンコ機の扉を開けて見るだけで直ちに遊技制御基板及び基板ＲＯＭが正常かどうかを容易に視認できるようにし、また上記基板を収納した透明な基板ケースを通常は開封不可能にカシメ封印する事によって、封印部を破壊又はケースを破壊しなければ基板及びＲＯＭを触れず、不正行為を防止する技術が考え出され、実用化されている。この場合の正規の基板メンテナンス作業は、封印部を破壊してケースを開き、メンテ終了後別の封印部を封印カシメて封印履歴を残しておくことで正規メンテナンスに対処している。
【０００４】
【参考文献１】
特開平５−１３１０４９
【参考文献２】
特開平６−２６９５３９
【０００５】
【発明が解決しようとする課題】
上記した従来の不正防止技術即ち、遊技制御を行ったり賞球払出し制御を行ったりする基板及び遊技制御ＲＯＭを透明な封印ケースに収納して、基板及びＲＯＭが正常かどうか目視確認できるようにし、また収納ケースをカシメ封印しこのカシメ封印及び封印破壊の履歴を記録管理する不正防止の技術は優れたものである。
しかしながらケースを壊さずまたケースのカシメ封印を壊さずに、正規の基板が封印されたケースを、ケースごとパチンコ機体取付部から外され、不正な裏ＲＯＭ付きの不正な遊技基板と交換される場合がある。この場合は従来のケースを開いてＲＯＭのみ交換するのでなく、ケースを取り外して基板ごと不正な基板又は不正基板を収納した不正基板ケースと交換されるため、基板収納ケースにカシメ封印がなされていても何ら関係が無く、また不正があった証拠も残らず、問題があった。
本発明は上記のケースごと不正交換されるような不正行為に対処し、ホール内電源が遮断された夜間の場合に行われた場合であっても、不正行為を感知し監視できる遊技機の基板不正監視装置を提供するものである。
【０００６】
【課題を解決するための手段】
本発明の請求項１の発明は、遊技機を制御するＲＯＭを設けた遊技制御基板と、該遊技制御基板を収納し通常は開封不可能に封印した透明材料からなる基板ケースと、該基板ケースを遊技機体取付板に固定した遊技機において、
前記遊技機体取付板と基板ケースとの固定を外さなければ触れない位置に、距離が変化すると感知するセンサーと該センサーに接続した送信機を設け、前記センサーが取付板とケース間の移動を感知すると前記送信機がこの感知信号を遊技機の外部へ送信することを特徴とする遊技機の基板不正監視装置である。
【０００７】
本発明は上記の構成であるから、遊技制御や払出制御基板がケース丸ごとパチンコ機等遊技機から外されると、センサーが働いて不正交換があったことを外部、例えばホール統括事務所やセキュリティー管理会社等の情報処理装置に報知される。また送信機を遮断してからケースを外そうと試みても、送信機が機体取付部と基板ケースとの固定部内に装着されており、先に送信機を外したり送信機電源を遮断したりする事が出来ない。このため必ず先にケースと取付板との固定センサーが、取付板からのケースの移動変化を感知し、外部に不正なケース取外し行為を報知される。このため基板ケース丸ごと不正に交換される不正行為が防止される。尚、上記において、センサーの感知信号によって報知するランプやブザー等を遊技機に設け、上記の送信機による報知と共に遊技機体やホール事務所等にも報知するよう設けることも可能である。
【０００８】
本発明の請求項２の発明は、遊技機を制御するＲＯＭを設けた遊技制御基板と、該遊技制御基板を収納し通常は開封不可能に封印した透明材料からなる基板ケースと、該基板ケースを遊技機体取付板に固定した遊技機において、
前記基板ケースは、前記通常は開封不可能に封印した封印を解いても、遊技機体取付板から前記基板ケースを外さなければ基板ケースを開くことが出来ない様に、前記遊技機体取付板に前記基板ケースを覆う固定部材を設けて固定したことを特徴とする遊技機の基板ケースである。
本発明は上記の構成であるから、遊技機体取付板に前記基板ケースを固定した状態で基板ケースの封印カシメを解いても、基板ケースを開くことが出来ず、従ってケースを破壊しない限りケースから基板を取出すことが出来ず、従って必ず機体取付板から基板ケースが外される。固定部材は封印カシメ部を覆う固定帯でもよく、ケース全体を覆う固定板でもよい。この機体取付板からケースが外される際に上記のセンサーがケースの移動変化を感知し、送信機から不正感知信号が送信され、不正が報知される。
【０００９】
本発明の請求項３の発明は、遊技機を制御するＲＯＭを設けた遊技制御基板と、該遊技制御基板を収納し通常は開封不可能に封印した透明材料からなる基板ケースと、該基板ケースを遊技機体取付板に固定した遊技機において、
前記基板ケースは、前記遊技制御基板を収納する内ケースと外ケースとからなり、収納した基板と内ケースを覆って外ケースが前記遊技機体取付板に固定されていることを特徴とする遊技機の基板ケースである。
本発明は上記の構成であり、基板を収納している基板ケースの外ケースが基板を覆って機体取付板に固定されている。このためケースの封印を解いて基板を取り出そうとしてもケースが開かず、機体取付板と外ケースとの固定が外さないと開かない。これにより上記機体取付板とケースの移動を感知するセンサーがケースの不正移動を感知して感知信号を送信機が報知するので、不正が防止される。
【００１０】
本発明の請求項４の発明は、遊技機を制御するＲＯＭを設けた遊技制御基板と、該遊技制御基板を収納し通常は開封不可能に封印した透明材料からなる基板ケースと、該基板ケースを遊技機体取付板に固定した遊技機において、
前記基板ケースは、前記遊技制御基板を収納する内ケースと外ケースとからなり、前記基板ケースに係止し前記基板ケースの封印部を覆い前記遊技機体取付板に係止する固定片を用いて固定されていることを特徴とする遊技機の基板ケースである。
本発明は上記の構成であり、基板ケースと機体取付板は、ケースの封印部を覆う固定片で固定されている。このためケースの封印部を解除してケースを開くには、必ず機体取付板とケースとの固定片を先に外し、次いで内外ケースの封印部が解除される。従って封印部が解除される前に機体取付板とケース間のセンサーがケースの移動を感知して報知するので、不正が防止される。
【００１１】
本発明の請求項５の発明は、前記送信機は、遊技機の遊技情報信号と接続し、前記感知信号と共に遊技情報信号を外部へ送信することを特徴とする遊技機の基板不正監視装置である。
上記の構成によって、例えばパチンコ機の遊技情報は通常、遊技制御基板から遊技場ホールコンピュータへパチンコ機裏面の情報端子を経由して送られている。本発明の送信機にこの遊技情報信号を取り込み、送信機によってリアルタイムで遊技情報を送信出来る。例えば多数のホール管理事務所やセキュリティー管理会社の情報処理装置ホストコンピュータに送信する事が出来、前記不正状況監視の他、パチンコ機台別の遊技状況監視並びに管理が行える。従って遊技機毎の詳細な使用状況、出玉管理等、遠隔地にあっても統括管理できる。遊技情報は例えば遊技制御回路からホールコンピュータへ送られるゲーム中のスタート信号、大当たり信号等の遊技情報信号が選択される。
【００１２】
本発明の請求項６の発明は、前記送信機は、夜間の遊技場電源遮断中は昼間充電された送信機の電池で送信することを特徴とする遊技機の基板不正監視装置である。
上記の構成によって、夜間の遊技場ホールの電源ブレーカが遮断中であっても、送信機はホール電源とは関係なく通電状態にあり、電源遮断時の夜間の不正行為も監視できる。
【００１３】
本発明の請求項７の発明は、前記送信機はＰＨＳ公共通信回線網によって送受信されることを特徴とする遊技機の基板不正監視装置である。
上記において特にＰＨＳ通信回線を用いることが容易に行える。このＰＨＳ公共通信回線網を用いた場合、比較的多くのデータを短時間に通信でき、しかも送信機の位置データも得ることが出来るので、遊技場ホールを特定でき、遊技場毎の管理も容易に行える。
尚、情報を無線で送信できるものであればＰＨＳ公共通信回線の他無線送信出来るものであればよく、例えば携帯電話や他の短波無線送信機等の手段によって外部の情報処理装置へデータを送信してもよい。
【００１４】
【発明の実施の形態】
以下、本発明の実施の形態を図面に基づいて説明する。
図１は本発明の一実施例を示すパチンコ機１０の前面で、プリペイドカードユニット０１と一体化した斜視図である。パチンコ機１０は箱状の外枠１１を備えている。外枠１１はホール内に設置された遊技島に固定される。外枠１１には中枠１２がヒンジ１３で開閉自在に装着されている。また中枠１２には前面扉１４が開閉自在に装着されている。中枠１２には遊技盤が収められており、遊技盤１５には図示しない障碍釘、風車、入賞装置、液晶図柄表示装置等の役物が設けられている。中枠１２，前面扉１４の下部には上皿１６その下に下皿１７が設けられ、右下部には球発射レバーを内蔵した発射ハンドル１８が設けられている。遊技盤１５上に発射された遊技球が図示しない入賞装置に入賞すれと賞球が上皿１６に払い出される。入賞が続き上皿１６が満杯になると下皿１７に放出される。
【００１５】
図２は図１の裏面を示す斜視図で、上部に球タンク２０、タンクレール２１があり、入賞があると球タンク２０の遊技球が賞球払出装置２２で所定の賞球数が切り出されて前面の上皿１５に払い出される。３０は遊技制御を行う主基板を内装した主基板ケースで、パチンコ機体と一体の中枠１２に固定された機体取付板２５に固定されている。
本実施例では主基板ケース３０を対象に不正監視装置を設けたが、賞球払出装置２２の賞球払出基板を内装した賞球払出基板ケース３０’を対象に設けても良い。主基板ケース３０内に装着した主基板３３は、主基板３３から図２の裏面各所に配置された各種装置を制御するための、賞球払出制御基板３０ｂ、図柄制御基板３０ｃ、発射制御基板３０ｄ、音声制御基板３０ｅ、ランプ制御基板３０ｆ等に接続しており、各基板は基板ケースに収納されており、パチンコ機全体の遊技制御が行われる。２３はパチンコ機１０で行われる遊技状況を遊技ホールコンピュータへ送るための盤用外部端子板２３である。また２４はパチンコ機１０とプリペイドカードユニットとの接続ワイヤハーネス２４である。
【００１６】
図３、図４は機体取付板２５に取り付けた基板ケース３０ａの第１実施例を示す。基板ケース３０ａは透明なポリカーボネイト樹脂製の内ケース３１ａと外ケース３２ａで形成され、内部に遊技制御基板３３を基板ビス穴３４から内ケースのねじ穴３５にビス止めしている。基板３３の外部との電気接続コネクター３６は基板の一端側に配置されており、コネクター３６部分を除いて外ケース３２ａが内ケース３１ａに覆い被さり、外ケース３２ａの外側で外部と電気接続用のハーネスコネクターがコネクター３６に装着される。内ケース３１ａに覆い被さった外ケース３２ａは、遊技機体に連結された機体取付板２５に外ケース３２ａの係止片３７が係止され、係止片３７の一方が取付部２６に、係止片３７の他方がビス取付部４１でビス４２止め固定され、主基板３３を覆う外ケース３２ａが機体取付板２５に固定されている。
【００１７】
内ケース３１ａの裏面で機体取付板２５との間には送信機５０とセンサ５１を設けてある。送信機５０は例えばＰＨＳ携帯電話で、通常の遊技中は商用電源で作動すると共に送信機内の蓄電池にも充電されており、夜間の遊技場電源が遮断中は上記昼間に蓄電された電池でが作動する。ケースの移動感知センサ５１は、例えば電気的又は機械的に隙間や距離が変わったら作動する形式のスイッチセンサが用いられる。送信機５０とセンサ５１は接続しており、センサ５１が取付板２５とケース３０ａ間の移動を感知するとこの送信機５０が外部の例えばセキュリティー会社の情報処理装置等へ送信する。送信機５０への情報は上記センサ５１の他、図２の盤用外部端子板２３からホールコンピュータへ送られる遊技情報、例えば遊戯中のスタート信号、大当たり信号等の遊技情報信号を盤用外部端子板２３から取り込んでリアルタイムに前記外部の情報処理装置へ送信してもよい。ＰＨＳ公衆回線網を用いた送信機の場合は、データ送信後受信側で送信位置の情報も得ることができるので、これによって遊技機の不正監視及び遊技機情報管理が、遊技場ホール位置も特定して管理することができる。
【００１８】
内ケース３１ａと外ケース３２ａは図３、図４で示すように両端部側に設けたカシメ封印部３８、３９でロック封印される。このカシメ封印部は封印穴部３８側から封印ねじ部３９側に図５に示すロックビス４０がねじ込まれてねじ止めされる。ロックビス４０の頭部はドライバー締付け用溝形状に特徴があり、右回転締付けが可能で左回転弛み回しが不可能な頭部のドライバー溝形状になっている。カシメ封印部３８、３９には両側に各４個所の上記ロックビス止め部があり、両側各１個所ずつロックビス４０でねじ止めされて使用される。
従って新品の状態から第１回目の基板３３の保守メンテナンスが必要になったらこのロックビス止めされた封印穴部３８と封印ねじ部３９のリブ４３、４４をペンチ等で切断し、内ケース３１ａ、外ケース３２ａを開いて基板３３を取り出し、基板の保守を行い、保守終了後再度主基板ケース３０ａ内に収納し、次のロックビス止め封印穴部と封印ねじ部にロックビス４０をねじ込み、弛め不可能にロック封印される。従って新品の状態からケース３０ａを開き収納された基板３３を保守等できるロック封印の回数は３回まで開閉封印が行えるようになっている。
【００１９】
図６は本発明の第２実施例の主基板ケース３０ｂを示し、前記実施例に比べて異なる点は、機体取付板２５と主基板ケース３０ｂとは、基板ケースの内ケース３１ｂに前記の係止片３７やビス取付部４１が設けてあり、基板ケース３０ｂの内ケース３１ｂが機体取付板２５に固定されている。また基板ケース３０ｂと機体取付板２５との移動感知センサー５１ｂは内ケース３１ｂと機体取付板２５との取付面凹部に設けた。本実施例の場合も基板ケース３０ｂを取り替えようとビス４２を外すと、基板ケース３０ｂが機体取付板２５から移動するので、センサー５１ｂが感知して送信機５０が外部へ不正を報知する。また基板ケース３０ｂを開こうとしても、カシメ封印部３８、３９は前記図５のロックビス４０で固定されており、ロックビス４０を緩められず、開くことができない。
【００２０】
図７は本発明の第３実施例を示す主基板ケース３０ｃを示し、前記実施例と比べて更に異なる点は、内ケース３１ｃと外ケース３２ｃとの両端封印カシメ部の構造で、内ケース３１ｃ側に封印穴部３８を設け、外ケース３２ｃ側に封印ねじ部３９を設けて、両封印部をロックするロックビス４０は内ケース３１ｃ側の封印穴部３８からドライバーなどで締め付けロックする構造になっている。この場合、取付板２５にケース３０ｃが取り付けた状態ではロックビス４０にドライバー等の工具を宛うことができず、従って取付板２５からビス４２を外して内ケース３０ｃを外さないとロックビス４０を外すことができない。従って、封印カシメ部３８，３９を外す前に必ずセンサー５１ｃがケース３０ｃの移動を感知して報知するので、更により安全が計られる。
【００２１】
図８は更に本発明の第４実施例を示し、主基板ケース３０ｄは両側各４個の封印カシメ部３８，３９を覆う幅の、略コの字形固定片４５を用いて機体取付板２５に固定されている。即ち、主基板ケース３０ｄの上ケース３２ｄに係止突起３２’を設け、また機体取付板２５に嵌合穴２７を設け、図３で示す両側各４個の封印カシメ部３８，３９部分を覆う帯体をコの字形に曲げて形成した固定片４５を用い、この下部嵌合係止部４６を機体取付板２５の嵌合穴２７に嵌合固定し、上部の係止穴４５’を上ケース３２ｄの係止突起３２’に係止し、ケース３０ｄを機体取付板２５に固定してある。
【００２２】
また送信機５０に接続するケース移動感知センサー５１は、送信機５１と機体取付板２５の間にセンサ５１ｆを設けてもよく、また固定部材４５と内ケースの封印カシメ部３９との間にセンサ５１ｄを設けてもよく、また固定部材４５と機体取付板２５との間にセンサ５１ｅを設けてケースの移動を感知するように設けてもよい。
主基板ケース３０ｄの取り外しは、固定片４５の上部側を上げて、係止穴４５’を上ケース３２ｄの係止突起３２’から外せば、取付板２５から基板ケース３０ｄの固定が外れる。この場合も固定片４５を外さないと基板ケースの封印カシメ部３８，３９に工具を宛うことができず解除できないので、必ず取付板２５からケース３０ｄが外されてから封印部が解除されるので、先にケースの移動がセンサ５１ｄ又は５１ｅ又は５１ｆで感知され、送信機５０が不正行為を報知する。
【００２３】
図９は更に本発明の第５実施例を示し、主基板ケース３０ｅは、両側各４個の封印カシメ部３８，３９を覆う幅の固定帯４７で機体取付板２５に固定されている。前記図８のごとく、上ケース３２ｅに係止突起３２’を設けてこれにも固定帯４７を係止して取付板２５に固定してもよい。また封印カシメ部３８、３９を覆わずにケース３０ｅの外面から固定帯４７を覆い被せて機体取付板２５に固定してもよい。また機体取付板２５との固定手段は図示の他、ビス止め固定であってもよい。
機体取付板２５からの基板ケース３０ｅの取り外しは、固定帯４７を取付板２５の嵌合穴２７から外すことで、取付板２５から基板ケース３０ｅが外れる。この場合も固定帯４７を先に外さないと、基板ケース３０ｅの封印カシメ部３８，３９を先に解除して開こうとしても、ケース３０ｅを開くことが出来ないので、必ず取付板２５から固定帯４７を外し、ケース３０ｅが外されてから封印部３８、３９が解除されてケース３０ｅが開かれる。このためケースが開かれる前にセンサ５１ｇがケースの移動を感知し、送信機５０が不正行為を外部へ報知する。
【００２４】
【発明の効果】
上記の通り本発明の基板不正監視装置及び遊技機の基板ケースは、基板ケースがパチンコ機から外されると必ず不正行為があったことを外部へ報知する。この送信機を遮断して基板ケースを外そうしても、またケースを封印している封印カシメ部を解除してケースを開こうとしても、必ずセンサーが不正を感知し、外部に不正行為を報知する。このため基板ケース丸ごと不正に交換される不正行為が防止されるものである。
【図面の簡単な説明】
【図１】本発明の実施例を示すパチンコ機の前面斜視図である。
【図２】本発明の実施例を示すパチンコ機の裏面斜視図である。
【図３】本発明の第１実施例を示す基板ケース３０ａの分解斜視図である。
【図４】本発明の第１実施例を示す基板ケース３０ａの断面図である。
【図５】封印カシメ部のロックビス４０を示す図である。
【図６】本発明の第２実施例を示す基板ケース３０ｂの断面図である。
【図７】本発明の第３実施例を示す基板ケース３０ｃの断面図である。
【図８】本発明の第４実施例を示す基板ケース３０ｄの断面図である。
【図９】本発明の第５実施例を示す基板ケース３０ｅの断面図である。
【符号の説明】
１０  パチンコ機、                  １１  外枠、
１２  中枠、                        １３  ヒンジ
１４  前面扉、                      １５  遊技盤、
１６  上皿、                        １７  下皿、
１８  発射ハンドル、                ２０  球タンク、
２１  タンクレール、                ２２  賞球払出装置、
２３  盤用外部端子板、              ２４  ハーネス、
２５  機体取付板                    ２６  取付板の取付部
３０ａ、３０ｂ、３０ｃ、３０ｄ、３０ｅ  主基板ケース、
３１ａ、３１ｂ、３１ｃ、３１ｄ、３１ｅ  内ケース
３２ａ、３２ｂ、３２ｃ、３２ｄ、３２ｅ  外ケース
３３  遊技制御基板                  ３７  係止片
３８  封印穴部                        ３９  封印ねじ部
４０  ロックビス                      ４１  ビス取付部
４２  ビス                            ４５  固定片
４６  嵌合係止部                      ４７  固定帯
５０  送信機
５１ａ、５１ｂ、５１ｃ、５１ｄ、５１ｅ  ケース移動感知センサ
【図１】
2004305421.tif 000003
【図２】
2004305421.tif 000004
【図３】
2004305421.tif 000005
【図４】
2004305421.tif 000006
【図５】
2004305421.tif 000007
【図６】
2004305421.tif 000008
【図７】
2004305421.tif 000009
【図８】
2004305421.tif 000010
【図９】
2004305421.tif 000011